【手続補正書】
【提出日】平成16年10月6日(2004.10.6)
【手続補正１】
【補正対象書類名】明細書
【補正対象項目名】発明の名称
【補正方法】変更
【補正の内容】
【発明の名称】移動無線端末
【手続補正２】
【補正対象書類名】明細書
【補正対象項目名】特許請求の範囲
【補正方法】変更
【補正の内容】
【特許請求の範囲】
【請求項１】
１つのキーに対して、キーの押下時間に対応して２つのキー操作態様を検出するキー操作検出手段と、
予め登録された少なくとも名前情報とその名前情報に対応したグループ情報とを記憶する記憶手段と、
前記２つのキー操作態様のうち、所定時間以上のキー操作態様を前記キー操作検出手段が検出すると、前記記憶手段に記憶された情報の検索を実行する制御手段と、
前記検索された情報を表示する表示手段と
を有することを特徴とする移動無線端末。
【請求項２】
前記検索は、
所定時間以上のキー操作態様を前記キー操作検出手段が検出すると、前記記憶手段に記憶された情報の前記名前情報の頭文字が所定の行の文字である情報を検索すること
を特徴とする請求項１に記載の移動無線端末。
【請求項３】
前記所定の行の文字は、
ア行乃至ワ行の文字のいずれかであることを特徴とする請求項２に記載の移動無線端末。
【請求項４】
第１キーと第２キーと、
１つのキーに対して、キーの押下時間に対応して２つのキー操作態様を検出するキー操作検出手段と、
予め登録された少なくとも名前情報とその名前情報に対応したグループ情報とを記憶する記憶手段と、
前記２つのキー操作態様のうち、前記第１キーまたは第２キーの所定時間以上のキー操作態様を前記キー操作検出手段が検出すると、前記記憶手段に記憶された情報の検索を実行する制御手段と、
前記制御手段によって検索された情報を表示する表示手段とを有し、
前記検索は、
所定時間以上のキー操作態様を前記キー操作検出手段が検出すると、前記記憶手段に記憶された情報の前記名前情報の頭文字が所定の行の文字である情報を検索し、
前記第１キーの所定時間以上のキー操作態様のキー操作検索手段の検出によって、前記検索が実行開始された後に、前記第１キーの操作を前記キー操作検出手段によって検出すると、前記複数の情報を前記名前情報順に検索し、
前記第１キーの所定時間以上のキー操作態様の検出によって、前記検索が実行開始された後に、前記第２キーの操作を前記キー操作検出手段によって検出すると、前記複数の情報のうち、前記名前情報の頭文字が前記所定の行の文字とは異なる所定の行の文字である情報を検索することを特徴とする移動無線端末。
【請求項５】
前記検索が実行開始された後における、前記キー操作検出手段のキー操作検出は、前記所定時間未満のキー操作検出であることを特徴とする請求項４に記載の移動無線端末。
【請求項６】
前記所定の行の文字は、
ア行乃至ワ行の文字のいずれかであることを特徴とする請求項４又は請求項５に記載の移動無線端末。
【手続補正３】
【補正対象書類名】明細書
【補正対象項目名】０００１
【補正方法】変更
【補正の内容】
【０００１】
本発明は、ＰＨＳ（Personal Handyphone System）移動端末等の移動無線端末に係わり、詳しくは、情報登録部に登録された複数の情報項目を高速に検索できるようにした移動無線端末に関する。
【手続補正４】
【補正対象書類名】明細書
【補正対象項目名】０００６
【補正方法】変更
【補正の内容】
【０００６】
本発明は上記問題点を解消し、情報登録部に登録された複数の情報項目を限られたキーによって高速に検索できる移動無線端末を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、請求項１の発明は、１つのキーに対して、キーの押下時間に対応して２つのキー操作態様を検出するキー操作検出手段と、予め登録された少なくとも名前情報とその名前情報に対応したグループ情報とを記憶する記憶手段と、前記２つのキー操作態様のうち、所定時間以上のキー操作態様を前記キー操作検出手段が検出すると、前記記憶手段に記憶された情報の検索を実行する制御手段と、前記検索された情報を表示する表示手段とを有することを特徴とする。
【手続補正６】
【補正対象書類名】明細書
【補正対象項目名】０００８
【補正方法】変更
【補正の内容】
【０００８】
請求項２の発明は、請求項１の発明において、前記検索は、所定時間以上のキー操作態様を前記キー操作検出手段が検出すると、前記記憶手段に記憶された情報の前記名前情報の頭文字が所定の行の文字である情報を検索することを特徴とする。
【手続補正７】
【補正対象書類名】明細書
【補正対象項目名】０００９
【補正方法】変更
【補正の内容】
【０００９】
請求項３の発明は、請求項２の発明において、前記所定の行の文字は、ア行乃至ワ行の文字のいずれかであることを特徴とする。
【手続補正８】
【補正対象書類名】明細書
【補正対象項目名】００１０
【補正方法】変更
【補正の内容】
【００１０】
請求項４の発明は、第１キーと第２キーと、１つのキーに対して、キーの押下時間に対応して２つのキー操作態様を検出するキー操作検出手段と、予め登録された少なくとも名前情報とその名前情報に対応したグループ情報とを記憶する記憶手段と、前記２つのキー操作態様のうち、前記第１キーまたは第２キーの所定時間以上のキー操作態様を前記キー操作検出手段が検出すると、前記記憶手段に記憶された情報の検索を実行する制御手段と、前記制御手段によって検索された情報を表示する表示手段とを有し、前記検索は、所定時間以上のキー操作態様を前記キー操作検出手段が検出すると、前記記憶手段に記憶された情報の前記名前情報の頭文字が所定の行の文字である情報を検索し、前記第１キーの所定時間以上のキー操作態様のキー操作検索手段の検出によって、前記検索が実行開始された後に、前記第１キーの操作を前記キー操作検出手段によって検出すると、前記複数の情報を前記名前情報順に検索し、前記第１キーの所定時間以上のキー操作態様の検出によって、前記検索が実行開始された後に、前記第２キーの操作を前記キー操作検出手段によって検出すると、前記複数の情報のうち、前記名前情報の頭文字が前記所定の行の文字とは異なる所定の行の文字である情報を検索することを特徴とする。
【手続補正９】
【補正対象書類名】明細書
【補正対象項目名】００１１
【補正方法】変更
【補正の内容】
【００１１】
請求項５の発明は、請求項４の発明において、前記検索が実行開始された後における、前記キー操作検出手段のキー操作検出は、前記所定時間未満のキー操作検出であることを特徴とする。
【手続補正１０】
【補正対象書類名】明細書
【補正対象項目名】００１２
【補正方法】変更
【補正の内容】
【００１２】
請求項６の発明は、請求項４又は請求項５の発明において、前記所定の行の文字は、ア行乃至ワ行の文字のいずれかであることを特徴とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００８２
【補正方法】変更
【補正の内容】
【００８２】
【発明の効果】
以上発明したように、本発明によれば、第１と第２のキーを設け、そのキーの押下時間によって２つのキー操作が可能であり、そのうち所定時間以上キーの押下を検出すると、複数の情報検索が可能となり、更に検索開始後には第１と第２のそれぞれのキーが情報登録部に登録される複数の情報項目を１項目ずつ順番に検索する順検索キーと、行飛ばしに検索することが出来る行飛ばし検索キーとに役割が変更されるため、少ないキーで極めて迅速な検索が可能になるという優れた利点を有する。